(57)【要約】【課題】  光ディスクへのデータ記録時に、温度上昇による記録品質への影響を最低限に抑える。【解決手段】  光ディスクへのデータ記録時に、ピックアップ１０の温度Ｔが、ターゲットビットレートを下げ始める所定の温度定数Ｔ１を超えた場合、限界温度手前の所定の温度定数Ｔ２に到るまで、ターゲットビットレートを温度Ｔの関数として連続的に減少させることで、ピックアップ１０の温度上昇、及びターゲットビットレート（画質）の低下を抑制する。【選択図】    図４
2006221698.tif 000002
【特許請求の範囲】
【請求項１】
記録データを予め決められたターゲットビットレートとなるように圧縮するデータ圧縮手段と、
前記データ圧縮手段で得られた圧縮データを、光ディスクに記録する記録手段と、
前記記録手段の温度を測定する温度測定手段と、
前記温度測定手段で測定された温度の値に応じて、前記データ圧縮手段で設定するターゲットビットレートを連続的に変化させる制御手段とを備えることを特徴とする
光ディスク記録装置。
【請求項２】
請求項１記載の光ディスク記録装置において、
前記制御手段は、前記記録手段が所定の温度以上であり、
前記ターゲットビットレートを低く制限させる場合に、前記ターゲットビットレートを変化させていることを示す警告表示を行う表示手段を備えたことを特徴とする
光ディスク記録装置。
【請求項３】
請求項１記載の光ディスク記録装置において、
前記制御手段は、前記記録手段が所定の温度以上であり、前記ターゲットビットレートを変化させる場合に、前記ターゲットビットレートの変化を許容できる範囲を設定できることを特徴とする
光ディスク記録装置。
【請求項４】
記録データを予め決められたターゲットビットレートとなるように圧縮し、
得られた圧縮データを、光ディスクに記録し、
温度を測定し、
測定された温度の値に応じて、設定するターゲットビットレートを連続的に変化させることを特徴とする
光ディスク記録方法。
【請求項５】
請求項４記載の光ディスク記録方法において、
所定の温度以上であり、前記ターゲットビットレートを低く制限させる場合に、前記ターゲットビットレートを変化させていることを示す警告表示を行うことを特徴とする
光ディスク記録方法。
【請求項６】
請求項４記載の光ディスク記録方法において、
所定の温度以上であり、前記ターゲットビットレートを変化させる場合に、前記ターゲットビットレートの変化を許容できる範囲を設定できることを特徴とする
光ディスク記録方法。
【発明の詳細な説明】
【技術分野】
【０００１】
本発明は、例えば映像データなどのデータを圧縮して光ディスクに記録する光ディスク記録装置及び記録方法に関し、特にデータ記録時のビットレートを可変設定できる記録装置に適用される技術に関する。
【背景技術】
【０００２】
近年、映像、音声等のデジタルデータを記録する小型で大容量の記録媒体として、ＤＶＤ（Digital Versatile Disk）といった光ディスクが実用化されている。ＤＶＤなどのディスクは、ビデオテープと比べると、ランダムアクセスによる頭出し、あるいは、編集作業等を容易に行うことができ、操作性に優れており、広く一般に用いられるようになってきた。
【０００３】
また、従来、ビデオカメラとＶＴＲ（Video Tape Recorder）を一体に組み込んだカメラ一体型ＶＴＲが広く一般に普及しており、屋内外で使用されていた。そして近年では、ＤＶＤ等の光ディスクを記録媒体として用いたカメラ一体型光ディスク記録装置も市場に登場してきた。記録媒体に光ディスクを用いる場合、デジタルデータを記録再生するため、画質／音声が向上すると共に、記録データの保存にも優れ、また、各種ＡＶ機器との接続も容易に行うことが可能である。
【０００４】
ＤＶＤの記録媒体には数種類あるが、例えばＤＶＤ−Ｒ（追記型ディスク）、ＤＶＤ−ＲＷ（書換え型ディスク）等の記録媒体が用いられる。映像データの記録時には、例えば、高画質モード（ＨＱ：High Quality）、標準モード（ＳＰ：Standard Play）、長時間モード（ＬＰ：Long Play）と称される、どれだけの画質で録画するかという記録モードの設定があり、それぞれの記録モードによってＤＶＤ１枚に録画できる時間が異なる。記録モードにより、ビットレートと画サイズ（１フレームの映像を構成する画素数で決まるサイズ）が決定される。ＨＱ、ＳＰ、ＬＰなどのモードの名称は、レコーダを製造するメーカによって異なる場合がある。
【０００５】
ビットレートには、フォーマット、使用するコーデック等により固定ビットレート（ＣＢＲ：Constant Bit Rate）と、可変ビットレート（ＶＢＲ：Variable Bit Rate）の二方式が使い分けられる。固定ビットレートでは、常に同じビットレートでエンコードを行う。可変ビットレートでは状況によりビットレートを可変させ、データ量の無駄を最小にして画質を向上させることが可能である。通常、ＤＶＤレコーダは可変ビットレートを用い、目標とするビットレート値としてターゲットビットレートを設定することで、この値でデータが記録されるようビットレートの制御を行う。
【０００６】
一方、ＤＶＤレコーダなどの動画を光ディスクに記録するＡＶ機器においては、光学ピックアップに内蔵された半導体レーザからのレーザ光をディスクに照射して、データの記録を行う構成としてある。半導体レーザが出力するレーザ光は、供給電力を一定にすると温度上昇に応じて発光量が低下する特性がある。レーザ光の発光量が低下すると、データ記録を正しくできなくなる恐れがある。このため従来、レコーダ内部の温度監視を行い、記録するデータのビットレートを変化させることで、レーザ発光部の温度上昇を抑制する処理が提案されている。特許文献１には、所定の温度に達すると圧縮回路の圧縮率を変更して低ビットレートによる記録に切り替えて、間欠記録の待機割合を増やすことによって温度上昇を抑える技術についての記載があり、ビットレートを元に戻す温度はハンチング防止のためにヒステリシスを持たせて、ビットレートを特定の値毎に段階的に切り替えることが想定されている。
【特許文献１】特開２００３−２８１７３３号公報（図１４）
【発明の開示】
【発明が解決しようとする課題】
【０００７】
ところで、光ディスクに記録する光学ピックアップに内蔵された半導体レーザは、出力レーザ光の発光量を一定範囲にするような制御が行われている。従って、装置内の温度上昇に伴って、レーザ光の発光量が低下すると、レーザ発光量を一定に保つためには、ある程度供給電力を上昇させる必要がある。しかし、過度な供給電力の増加は、レーザ光源の劣化を早める要因となってしまうので、劣化を避けるためには供給電力を特定の値以上には上げることができない。この結果、供給電力が、この特定の値を維持したまま記録動作を継続することになるが、さらに温度が上昇すると、その上昇に応じてレーザ光の発光量は徐々に低下するため、記録品質も低下してしまうという問題が発生する。このため、高温環境下での使用、及び記録動作による発熱で装置内温度が上昇すると、光ディスクへの記録品質が低下し、データが再生不能になると考えられる。
【０００８】
光ディスクへの記録品質を損なわないために、温度監視機能が付いている機器では、記録動作中に第一の特定の温度を超過するとユーザに警告表示を出し、さらに、この第一の特定の温度を越える第二の特定の温度に達すると記録を強制中断するという対応が行われている。しかしながら、この場合、機器の温度が十分下がるまで記録を再開することができないという問題が発生するため、記録チャンスを逃がす可能性がある。
【０００９】
特許文献１の方法によると、温度上昇を十分抑えるためにビットレートを大きく下げる必要があるが、その結果、映像画質が低下するため、再生時に画質低下をユーザが感知してしまうという問題がある。また、仮にビットレートを切り替える温度を複数定めて温度抑制に対応したとしても、ターゲットビットレートを段階的にしか定めることができないため、ビットレートの低下量が必要以上に大きくなってしまう。この結果、最低限必要なビットレートの低下量と比べるとロスが生じることにより、必要以上に画質を低下させてしまう。さらにビットレートを元に戻す温度にヒステリシスを持たせることは、低画質状態を不要に長引かせることになり、ユーザにとっては好ましくない低画質状態での映像記録が延びてしまう。
【００１０】
本発明はこのような状況に鑑みて成されたものであり、光ディスクへのデータ記録時に、温度上昇による記録品質への影響を最低限に抑えることを目的とする。
【課題を解決するための手段】
【００１１】
本発明は、記録データを予め決められたターゲットビットレートとなるように圧縮し、得られた圧縮データを光ディスクに記録し、温度を測定し、測定された温度の値に応じて、設定するターゲットビットレートを連続的に変化させるようにしたものである。
【００１２】
このようにしたことで、記録に用いるレーザ光源が所定の温度より上昇した際には、ターゲットビットレートを連続的に低下させてデータが記録される。
【発明の効果】
【００１３】
本発明によれば、レーザ光源が所定の温度以上に上昇した場合に、温度の関数としてターゲットビットレートを連続的に低下させることで、画質劣化を目立たなくさせつつ、間欠記録による温度制御によって、レーザ光源の温度上昇を抑制できるという効果がある。
【００１４】
また、ターゲットビットレートが変化している場合に、ユーザにこの変化を通知することができるため、ユーザは記録している映像の画質状態を知ることができるという効果がある。
【００１５】
また、ユーザは予めターゲットビットレートを変化させてもよい範囲を設定できるため、レーザ光源の温度上昇時に、過剰にターゲットビットレートを低下して映像を記録することがなくなるという効果がある。
【発明を実施するための最良の形態】
【００１６】
以下、本発明の一実施の形態を、添付図面を参照して説明する。本実施の形態では、映像、音声データを光ディスクに記録する、カメラ一体型光ディスク記録装置に適用した例としてある。ここでは、記録媒体である光ディスクとして、ＤＶＤを使用した記録装置としてある。
【００１７】
まず、本例のカメラ一体型光ディスク記録装置の内部構成例について説明する。図１は、本例のカメラ一体型光ディスク記録装置１の内部構成例を示したブロック図である。カメラ一体型光ディスク記録装置１は、ケースが合成樹脂等で小型、薄型に形成しており、大容量の光ディスク１５を着脱可能とし、光ディスク１５の記録再生を行う機能を有している。
【００１８】
カメラ一体型光ディスク記録装置１は、ユーザが操作を行う操作部２と、被写体を撮像すると共にその映像信号を生成するカメラブロック５と、カメラブロック５で撮像された映像、又は光ディスク１５の再生画像等を表示させる出力部４と、機器制御を行うヒューマンインターフェイス（Human Interface）処理ブロック２と、撮像画像の圧縮処理等を行うデータ処理ブロック６と、光ディスク１５の記録再生を行うドライブブロック７から構成される。
【００１９】
操作部２には、メニュー選択用のカーソルボタン等が配してあり、カメラ一体型光ディスク記録装置１の操作を行うことができる。そして、ヒューマンインターフェイス処理ブロック３は、ヒューマンインタフェースを処理するブロックであり、カメラ一体型光ディスク記録装置１に対するユーザ操作を解釈し、カメラ一体型光ディスク記録装置１全体の電子機器を制御したり、出力部４への表示制御を行う。出力部４は、ＬＣＤ（Liquid Crystal Display）パネルやビューファインダ用ＬＣＤ、スピーカ、外部出力端子等で構成され、撮影／再生画像、及び操作メニューアイコン、環境数値等が表示される。
【００２０】
映像／音声の記録時には、図示しないＣＣＤ（Charge Coupled Device）イメージャ等の撮像素子とレンズ、及びマイクロフォン等を備えたカメラブロック５が、映像や音声として取り込んだアナログデータをデジタルデータに変換して、データ処理ブロック６に供給する。データ処理ブロック６は、カメラブロック５から供給されたデータに対して、ファイル圧縮のためのエンコード処理を施し、バッファメモリ８ａに溜めていく。データ処理ブロック６における圧縮処理の詳細は後述するが、記録データの圧縮処理やその制御処理についても、データ処理ブロック６内で行われる。バッファメモリ８ａに溜められたデータは、所定の量に達するとドライブブロック７内のバッファメモリ８ｂに転送される。この転送速度は、データ処理ブロック６における圧縮処理によるデータ生成速度より十分に速いものである。
【００２１】
光ディスクへの記録再生を行う手段であるドライブブロック７では、バッファメモリ８ｂに溜まったデータを読み出して記録信号を生成させ、その記録信号に基づいてピックアップ１０内のレーザ光源の発光の駆動を行い、レーザ光源から照射されるレーザ光によって光ディスク１５にデータを書込む。この書込み速度は前出の圧縮処理によるデータ生成速度より十分に速いものである。この結果、次のデータが送られてくるまで、ドライブブロック７は待機状態となり、書込み動作と待機状態が繰返されるため、いわゆる間欠記録が行われる。
【００２２】
ドライブブロック７には、温度センサ９が設けられており装置内のピックアップ１０の周辺の温度の監視を行う。温度センサ９が測定した温度情報は、ヒューマンインターフェイス処理ブロック３へ通知される。ヒューマンインターフェイス処理ブロック３は、データ処理ブロック６に温度情報を供給することで、データ処理ブロック６は受け取った温度情報に応じて圧縮処理の制御を調整する。また、ヒューマンインターフェイス処理ブロック３は、温度情報に応じて出力部４内のＬＣＤパネルなどの表示手段に、適用される記録モード等の状況表示をアイコン、メッセージ等により出力する。
【００２３】
一方、映像／音声の再生時には、ドライブブロック７内のピックアップ１０によって光ディスク１５の記録データを読込む。読込まれた記録データは、データ処理ブロック６に供給され、デコード処理が施された後、映像データは出力部４に供給され、ＬＣＤパネルやビューファインダで映像表示が行われる。また、音声データは出力部４のスピーカによって放音される。あるいは、出力部４内の外部出力端子によって、外部のＡＶ機器に映像／音声データを供給することも可能である。また、データ処理ブロック６は、読み込んだ光ディスク１５の管理情報を元に、ドライブブロック７の動作をコントロールする役目も持つ。
【００２４】
なお、本例のカメラ一体型光ディスク記録装置１は、不揮発性メモリ２０を備えることで、ヒューマンインターフェイス処理ブロック３を介して、ビデオデータやオーディオデータなどを記録し再生することもできる構成としてある。また、不揮発性メモリ２０には、ユーザ設定データも格納してあり、随時読み出すことが可能である。この不揮発性メモリ２０を使用して、前出のターゲットビットレートを変化させてもよい範囲のユーザ設定等を記憶させておくことができる。
【００２５】
次に、データ処理ブロック６の内部構成例を図２のブロック図を参照して説明する。映像／音声の記録時には、カメラブロック５から供給されたデータが、バッファメモリ８ａ内の原画データエリア２４に収められる。原画データエリア２４と、後述する圧縮データエリア２５では、２フレーム分のエリアに分割してデータを格納しており、順次切り替えて使うことで処理時間が確保される。原画データエリア２４に収められたデータは、高速にデータ処理を行えるＤＳＰ（Digital Signal Processor）２１と、圧縮処理を行う圧縮エンジン２２によって、画サイズ変換等の圧縮処理が施され圧縮データエリア２５に収められる。なお、本例のＤＳＰ２１は、音声処理も行うようにしてある。この圧縮データエリア２５の圧縮データは、さらにＭＰＥＧ（Moving Picture Experts Group）−２方式による変換処理を施された後、ストリームデータエリア２６へ移され制御部２３によって所定のブロック毎にヘッダを付加する等の加工が成される。加工後のデータは、ストリームデータエリア２６でバッファリングされ、所定の量が溜まるとドライブブロック７内のバッファメモリ８ｂに転送される。なお、ＤＳＰ２１、圧縮エンジン２２、制御部２３、バッファメモリはシステムバスを介して互いにデータ通信する構成としてある。
【００２６】
ここで、ＤＳＰ２１、及び圧縮エンジン２２が、圧縮処理をどのように行っているかを説明する。映像記録時には、事前に操作部２のユーザ選択によって、複数の記録モード（例えば、高画質モード、標準モード、長時間モード）の内から一つの記録モードが選択されている。選択された記録モードはヒューマンインターフェイス処理ブロック３によって管理され、データ処理ブロック６の制御部２３に記録モードの設定パラメータが供給される。制御部２３は受け取った記録モードから、ターゲットビットレートとデフォルト圧縮率を決定する。記録処理を行うとき、制御部２３はデフォルト圧縮率を圧縮エンジン２２に設定して、ＤＳＰ２１の高速演算により圧縮処理を開始する。圧縮率設定を変えない場合は、生成される圧縮データのビットレートは記録している対象画像によって変化するので、制御部２３はビットレートを監視し、所定の平均化を行って平均ビットレートを算出し、平均ビットレートがターゲットビットレートと一致する様に、圧縮エンジン２２の圧縮率設定を制御している。ターゲットビットレートについては、連続的に可変設定可能な構成としてある。但し、ここでの連続とは、連続的とみなせる程度に細かく段階的にビットレートを変化させる場合も含む。
【００２７】
なお、本例においては、設定された記録モードごとに、ターゲットビットレートが予め決められた値に設定されるようにしてあるが、後述するように、温度上昇時にはデータ処理ブロック６などでの処理で、ターゲットビットレートを連続的に低下させるようしてあり、その場合に、記録モードごとに、どのビットレートまでの低下を許容するのかを、制御部２３に接続されたメモリ（図示せず）などに記憶させてある。その記録モードごとのターゲットビットレート許容値については、ユーザ設定で設定（変更）できるようにしてもよい。
【００２８】
次に、図３の温度判断に関するフローチャート、及び図４の温度とターゲットビットレートの関係図を参照して、温度に対するターゲットビットレートの調整処理の例について説明する。本例では、通常、記録モードによって設定されるターゲットビットレートを、所定の温度Ｔ１より上の温度状態で使用する場合、温度を変数とした関数とみなして連続的に変化させることで、画質劣化を目立たなくさせつつ、間欠記録の待機状態の割合を増やし温度上昇を抑制する処理について示している。
【００２９】
始めに、変数と定数の定義、及び、定数の大小関係を以下に示す。
Ｔ：所定の平均化処理を施した温度を示す変数
ＴＢ：ターゲットビットレートを示す変数
ＴＢ１：記録モードから決まるターゲットビットレート定数
ＴＢ２：高温時に画質を落としてもよいレベルを事前にユーザ指定で決めたターゲットビットレート定数（指定方法の一例としては、ユーザは記録モードの選択肢の中から指定し、制御部２３がビットレートに換算する）
Ｔ１：ターゲットビットレートを下げ始める所定の温度定数
Ｔ２：限界温度手前の所定の温度定数（下げてきたビットレートがこの温度でＴＢ２に達する）
Ｔ３：所定の限界温度定数
ＴＢ１≧ＴＢ２、Ｔ１＜Ｔ２≦Ｔ３
【００３０】
図４には、温度Ｔを横軸、ターゲットビットレートＴＢを縦軸としてターゲットビットレートの遷移を示している。そして、Ｔ＜Ｔ１をＡ領域、Ｔ１≦Ｔ＜Ｔ２をＢ領域、Ｔ２≦Ｔ＜Ｔ３をＣ領域としている。この時、記録される画質は、ターゲットビットレートの値と連動するため、Ａ領域，Ｂ領域，Ｃ領域の順に劣化する。Ｔ１，Ｔ２，Ｔ３の一例を示すと、例えば、Ｔ１として６１℃程度に設定し、Ｔ３として６５℃程度に設定し、Ｔ２としてその間で設定する。
【００３１】
図４におけるＡ，Ｂ，Ｃ領域の各領域に対して、ドライブブロック７における間欠記録動作と発熱量との関係を図５に示す。記録動作は、光ディスク１５への書込み速度が、バッファメモリ８ｂに溜まる速度よりも速いため、書込みと待機を交互に繰り返す間欠記録状態になる。書込み中は、ピックアップ１０内のレーザ光源からレーザ光が発光されると共に、その周辺デバイスが動作することにより発熱量が増加する。逆に、待機中は、ピックアップ１０からのレーザ光の発光がほとんどないと共に、その周辺デバイスが動作しないため発熱量は減少する。図５（ａ）では、頻繁に書き込みを行い、待機時間が短いため、平均の発熱量が多く、温度が上昇していく。一方、図５（ｂ）、及び図５（ｃ）では、書き込み頻度が減少することで、待機時間が長くなるため、Ｂ，Ｃ領域の順に平均の発熱量が減少していく。つまり、ターゲットビットレートが下がると単位時間のデータ生成量が減るので、Ａ，Ｂ，Ｃ領域の順に待機中の時間的割合が増え、平均の発熱量は下がることが分かる。これはターゲットビットレートを下げることが温度上昇の抑制効果を持つことを意味する。
【００３２】
次に、図３より温度判断に関するフローチャートの動作説明を行う。なお、このフローチャートは、装置全体として見たときのフローチャートである。温度センサ９で測定し、所定の平均化処理を施した温度Ｔはドライブブロック７からヒューマンインターフェイス処理ブロック３へ渡され、さらにデータ処理ブロック６へ渡される（ステップＳＴ１）。以下、特に指定が無ければ、データ処理ブロック６での処理である。温度ＴはＴ１と比較され（ステップＳＴ２）、Ｔ１以下であればターゲットビットレートＴＢにはＴＢ１が設定される（ステップＳＴ３）。そして、記録終了判断がなされて終了でなければ再び温度取得（ステップＳＴ１）からの処理が繰り返される（ステップＳＴ４）。記録終了判断とは、ヒューマンインターフェイス処理ブロック３が管理するユーザによる記録終了操作判断や、データ処理ブロック６が管理する光ディスク１５の空き容量終了判断等を指している。
【００３３】
温度ＴとＴ１との比較（ステップＳＴ２）でＴ１より大きい場合は、温度ＴはＴ２と比較され（ステップＳＴ５）、Ｔ２未満であれば、ターゲットビットレートＴＢは、所定の演算で求められて設定される（ステップＳＴ６）。この所定の演算の一例としては、Ｔ−ＴＢ平面における（Ｔ１，ＴＢ１），（Ｔ２，ＴＢ２）間の直線補間によって、
ａ＝（ＴＢ１―ＴＢ２）／（Ｔ１―Ｔ２）
としたとき、
ＴＢ＝ａ×Ｔ-ａ×Ｔ１＋ＴＢ１
（Ｔ１＜Ｔ＜Ｔ２）
で与えられるものがある。
【００３４】
温度Ｔが、Ｔ１より大きくＴ２未満の場合は、ヒューマンインターフェイス処理ブロック３にて画質を低下させている旨を示す警告表示１がなされる（ステップＳＴ７）。警告表示には、例えば警告アイコンを点滅させる、警告メッセージを表示させる等がある。そして、記録終了判断がなされて終了でなければ再び温度取得（ステップＳＴ１）からの処理が繰り返される（ステップＳＴ４）。
【００３５】
温度ＴとＴ２との比較（ステップＳＴ５）で、温度ＴがＴ２以上の場合は、温度ＴはＴ３と比較され（ステップＳＴ８）、Ｔ３未満であれば、ターゲットビットレートＴＢにはＴＢ２が設定される（ステップＳＴ９）。そして、記録終了判断がなされて終了でなければ再び温度取得（ステップＳＴ１）からの処理が繰り返される（ステップＳＴ４）。温度ＴがＴ２以上でＴ３未満の場合は、ヒューマンインターフェイス処理ブロック３にて画質が低下する旨を示す警告表示１がなされる（ステップＳＴ７）。その後、記録終了判断がなされて終了でなければ再び温度取得（ステップＳＴ１）からの処理が繰り返される（ステップＳＴ４）。
【００３６】
温度ＴとＴ３との比較（ステップＳＴ８）で、温度Ｔが、Ｔ３以上に達した場合は、データ処理ブロック６にて強制終了処理が開始される（ステップＳＴ１０）。このときデータ処理ブロック６の制御により、ドライブブロック７にも終了処理が及ぶ。更にヒューマンインターフェイス処理ブロック３では温度上昇によって記録を強制終了する旨を示す警告表示２がなされて（ステップＳＴ１１）、記録は終了される。
【００３７】
この結果、本例のカメラ一体型光ディスク記録装置１は、記録時に温度上昇によって十分なレーザ発光量を確保できなくなるような状況下においても、間欠記録による書込みの待機状態を長くとることで、上昇した温度を抑制、下降させることが可能であるため、強制的に記録停止に至る可能性を激減させ、記録チャンスを逃すことがなくなるという効果がある。
【００３８】
具体的な温度の例を示すと、例えば、図４に示したＴ１として６１℃に設定し、Ｔ２として６４℃に設定し、Ｔ３として６５℃に設定して、例えば周囲温度３８℃程度の環境でカメラ一体型光ディスク記録装置１で撮影を行っている状況のとき、装置１の作動で内部の温度が２３℃上昇して、温度Ｔ１（６１℃）を越えたとき、温度Ｔ２（６４℃）まではターゲットビットレートが連続的に下がり、温度Ｔ２（６４℃）を越えると設定された最低限のターゲットビットレートとなり、温度Ｔ３（６５℃）まで上昇すると記録が停止する。ここで、最低限のターゲットビットレートでの記録中には、図５（ｃ）に示したように非常に記録時間が少ない間欠記録動作状態であり、発熱が非常に少なく、装置内部の発熱を非常に低く抑えることができる状態であり、例えば周囲温度３８℃程度の環境での撮影中に、温度Ｔ２（６４℃）まで上昇することはほとんどない。但し、このような制御状態は、最低限のターゲットビットレートの設定により変化してしまう。また、周囲温度がこの例ほど高くなくとも、例えば、炎天下の車内で温度６１℃になっていた機体を車内から取り出して周囲温度３０℃ですぐに撮影を始めた場合を想定すると、撮影による発熱でＢ領域に入るが、温度上昇に伴いターゲットビットレートを低下させ発熱量を抑えることで、周囲温度３０℃との温度差による放熱が勝り、温度Ｔ２（６４℃）及び温度Ｔ３（６５℃）まで到達する可能性は大きく低下する。
【００３９】
本例の場合には、温度が上がるほど、より大きくターゲットビットレートが下がるため、温度上昇は、より強く抑制されることが分かる。また、温度が上昇し続けたとしても、最終的に記録処理が強制終了されるため、レーザ光源の劣化も抑制することが可能である。
【００４０】
また、記録時に所定値以上の温度上昇が起こった際には、温度抑制の代償として低下してしまう画質に対して、これまでは段階的にビットレートを低下することで対応していたが、そのような制御が行われて記録されたデータの再生時には、ユーザに画質劣化が見えてしまっていた。しかし、本例では、連続的にビットレートを低下することによって、画質劣化はわずかずつの変化であり、また、画質劣化を必要最低限のレベルに抑えることができた。これにより、再生時に画質劣化を感じさせないという効果がある。
【００４１】
また、ユーザは、出力部４の警告表示１及び２によって、カメラ一体型光ディスク記録装置１内の温度状況、又は録画中の画質状態を知ることができるため、場所を移動してカメラ一体型光ディスク記録装置１を冷却したり、操作を停止したりして、ピックアップ１０の温度を下げることが可能である。
【００４２】
また、録画時にピックアップ１０の温度上昇により、ビットレートが低下した場合に、使用環境の変化、あるいは使用状況によって機器内温度が下がってきたとしても、元の状態へロスなく最短時間で戻ることが可能である。このため、画質が低下して記録される時間を極力短くすることができる。
【００４３】
また、ビットレートを低下させることで間欠記録の待機時間を長くして温度上昇を抑制するが、予め落としてもよいレベルの画質までをユーザ指定することによりユーザの意に応じた対応ができる。例えば、高画質モードで撮影している場合に、予め標準モードに相当するビットレートまでなら画質の低下を許可するように設定しておくことで、標準モードより下の画質（例えば、長時間モード）まで画質が低下することがない。なお、この設定は、製品出荷時にメーカが初期設定しておいてもよい。
【００４４】
なお、上述した実施の形態では、温度Ｔ１−Ｔ２間を直線補間して演算したが、以下の様に多くの対応が考えられる。
【００４５】
例えば、図４のＴ１−Ｔ２間において、この区間内に（（Ｔ１＋Ｔ２）／２，（２×ＴＢ１＋ＴＢ２）／３）という点を取り、この点と（Ｔ１，ＴＢ１）、及び（Ｔ２、ＴＢ２）間とを直線補間する方法が考えられる。こうすることで、温度が低い方ではＴＢの変化率が少なく画質劣化を小さくすることを優先し、温度がより高くなるとＴＢの変化率が大きく温度抑制効果を大きくすることを優先する演算方法になる。
【００４６】
このような演算方法による重み付けは、別の視点を入れることもできるし、中間点は複数取ることもできる。あるいは、重み付けの演算処理を数種類組み合わせることも可能である。例えば、両端点（Ｔ１，ＴＢ１）、及び（Ｔ２、ＴＢ２）付近ではＴＢの変化率を小さくするという視点も考えられる。さらに、中間点をテーブルとして、制御部２３に接続された不揮発性メモリ（図示せず）に記憶しておき直線補間すれば複雑な対応も可能である。また、一次関数ではなく高次関数による演算も可能であるため、よりユーザのニーズに沿った記録を行うことができる。
【００４７】
また、上述の対応に応じて出力部４に表示させる警告表示の仕方を変えることもあり得る。例えばＴＢの変化を小さく抑えている区間では警告表示を出さない等の対応も考えられる。あるいは、温度異常を検知した場合の警告表示について、本例の図３のフローチャートでは、温度Ｔが、Ｔ１＜Ｔ＜Ｔ３である場合に、同一の警告表示１を示したが、Ｔ２＜Ｔ＜Ｔ３の場合には、警告表示１よりも高レベルな警告を行うことで、ユーザに注意を促すようにしてもよい。
【００４８】
また、上述した実施の形態では、記録媒体としてＤＶＤを使用したカメラ一体型光ディスク記録装置に適用した例としたが、カメラ一体型でないＤＶＤレコーダにも本発明は適用可能であると共に、ＤＶＤ以外のレーザ光源を使用して光ディスクに記録を行う光ディスク記録装置にも本発明は適用可能である。光ディスクに記録するデータについても、映像・音声データ以外の圧縮率を可変設定できるデータあれば、適用可能である。
【図面の簡単な説明】
【００４９】
【図１】本発明の一実施の形態における光ディスク記録装置の内部構成例を示したブロック図である。
【図２】本発明の一実施の形態におけるデータ処理ブロックの内部構成例を示したブロック図である。
【図３】本発明の一実施の形態における、温度判断の処理例を示したフローチャートである。
【図４】本発明の一実施の形態における温度とターゲットビットレートの関係を示した説明図である。
【図５】本発明の一実施の形態における間欠記録動作と発熱量の関係を示した説明図である。
【符号の説明】
【００５０】
１…カメラ一体型光ディスク記録装置、２…操作部、３…ヒューマンインターフェイス処理ブロック、４…出力部、５…カメラブロック、６…データ処理ブロック、７…ドライブブロック、８ａ，８ｂ…バッファメモリ、９…温度センサ、１０…ピックアップ、１５…光ディスク、２０…不揮発性メモリ、２１…ＤＳＰ、２２…圧縮エンジン、２３…制御部、２４…原画データエリア、２５…圧縮データエリア、２６…ストリームデータエリア
【図１】
2006221698.tif 000003
【図２】
2006221698.tif 000004
【図３】
2006221698.tif 000005
【図４】
2006221698.tif 000006
【図５】
2006221698.tif 000007